(57)【要約】【課題】一端部に取り付けた他端部が一端部から外れるおそれのない締付バンドを提供する。【解決手段】  一端部２５の先端を径方向外側へ起立させ、この起立部３３に形成した孔２９に他端部２６の取付部３１を挿通し、一対の爪部２８を加締工具で加締めてブーツバンド１６に締付力を付与することにより、取付部３１の先端部位に設けた径方向内側に延びる嵌合爪３２を、一端部２５に形成した凹溝３０に嵌合させる。起立部３３の先端を周方向でに屈曲させ、この屈曲部３４を取付部３１に重ね合わせる。取付部３１は中間部２７よりも拡径させ、かつ、起立部３３の孔２９よりも幅狭とし、嵌合爪３２は取付部３１よりも幅狭とする。また、取付部３１の基部３７の内周面３８と起立部３３の基部３５の内周面３６をＲ形状とする。【選択図】    図１
2009115239.tif 000002
【特許請求の範囲】
【請求項１】
一端部と、これに取り付ける他端部と、前記一端部と前記他端部をつなぐ中間部とを有する環状を成し、締付力の付与により縮径させる締付部を両端部側に設けた締付バンドであって、
前記一端部の先端部位を径方向外側へ起立させ、その起立部に形成された孔に前記他端部の先端部位を挿通させて前記一端部に取付固定し、この他端部の取付部に、前記起立部を周方向に屈曲させた屈曲部を重ね合わせたことを特徴とする締付バンド。
【請求項２】
前記他端部の取付部は、前記中間部よりも拡径させて形成されていることを特徴とする請求項１に記載の締付バンド。
【請求項３】
前記起立部の基部の内周面をＲ形状としたことを特徴とする請求項１又は２に記載の締付バンド。
【請求項４】
前記他端部の取付部の先端部位に径方向内側に延びる嵌合爪を設け、その嵌合爪が前記一端部に形成した凹部に嵌合されていることを特徴とする請求項１〜３のいずれか一項に記載の締付バンド。
【請求項５】
前記締付部は、一対の爪部としたことを特徴とする請求項１〜４のいずれか一項に記載の締付バンド。
【請求項６】
前記締付部は、前記両端部と一体成形で設けたことを特徴とする請求項１〜５のいずれか一項に記載の締付バンド。
【発明の詳細な説明】
【技術分野】
【０００１】
本発明は、自動車や各種産業機械に用いられ、回転トルクを伝達する等速自在継手のブーツ取付部などに使用される締付バンドに関するものである。
【背景技術】
【０００２】
締付バンドは、例えば等速自在継手において、外輪とブーツの取付部分などに使用され、ブーツバンドと呼ばれることが多い。締付バンドの等速自在継手以外の使用例としては、水道の蛇口とホースの取付部分などが挙げられる。
【０００３】
図６に従来の締付バンドを使用した摺動型等速自在継手の一つであるダブルオフセット型等速自在継手（ＤＯＪ）を示す（特許文献１参照）。
【０００４】
この等速自在継手１０１は、一端が開口した外側継手部材である外輪１０２、内側継手部材である内輪１０３、ボール１０４、ケージ１０５を主要部とする。外輪１０２の内部には内部部品１０６が収容され、この内部部品１０６は、内輪１０３、ボール１０４、ケージ１０５で構成されている。外輪１０２の円筒状の内周面には軸方向に延びる複数の直線状のトラック溝１０７が形成され、内輪１０３の球面状の外周面には外輪１０２のトラック溝１０７と対をなす複数の直線状のトラック溝１０８が形成されている。外輪１０２のトラック溝１０７と内輪１０３のトラック溝１０８との間にはボール１０４が介在され、このボール１０４はケージ１０５のポケット１０９で保持されている。内輪１０３の軸孔１１１にはシャフト１１０がスプライン嵌合され、このシャフト１１０は、先端に取り付けられたサークリップ１１２により、軸孔１１１から抜け出るのが防止されている。
【０００５】
外輪１０２の開口部は、樹脂製の蛇腹状ブーツ１１３で覆われている。このブーツ１１３は、大径端部１１４と、小径端部１１５と、大径端部１１４と小径端部１１５をつなぐ蛇腹状の中間部１１９とを有し、大径端部１１４は外輪１０２の開口端部１２０の外周面に取り付けられ、小径端部１１５はシャフト１１０の外周面に取り付けられ、それぞれの取り付け部分は締付バンドであるブーツバンド（１１６、１１７）を加締めて固定されている。
【０００６】
外輪１０２の開口部側の内周面にはサークリップ１１８が取り付けられ、これにより、内部部品１０６が外輪１０２から抜け出るのが防止されている。
【０００７】
さて、ブーツ１１３の大径端部１１４に取り付けられるブーツバンド１１６としては、図７に示すようなものが知られている。このブーツバンド１１６は、帯状部材を環状に成形したもので、外側重なり部１２５と、内側重なり部１２６と、外側重なり部１２５と内側重なり部１２６とをつなぐ中間部１２７とで主要部が構成される（特許文献２参照）。
【０００８】
外側重なり部１２５の先端側部位には３つの係止孔１３２が等間隔に形成され、内側重なり部１２６の先端側部位には３つの係止爪１３１が等間隔で形成されている。ブーツバンド１１６を図７に示すように環状にする際、外側重なり部１２５を内側重なり部１２６に重ね合わせて、係止爪１３１と係止孔１３２が係合される。
【０００９】
外側重なり部１２５には、係止孔１３２よりも中間部側に耳部１２８を有する。この耳部１２８は、外側重なり部１２５から立ち上がる一対の脚部１２９と、この一対の脚部１２９を先端部側でつなぐ架橋部１３０とで構成され、架橋部１３０には、耳部１２８の剛性を高めるために、周方向に延びる窪み部（符号省略）が形成されている。図６に示すように、ブーツ１１３の大径端部１１４を外輪１０２の開口端部１２０に取付固定する際、締付バンド１１６は、帯状の締付バンド１１６を図７に示すように環状にした後、同図中に白抜き矢印で示す方向に耳部１２８の脚部１２９を加締工具で加締めて図８（ダボ部の図示は省略）に示す状態にすることにより、締付力が付与される。なお、ブーツ１１３の小径端部１１５に取り付けられるブーツバンド１１７（図６参照）においても、これまでに説明したブーツバンド１１６と同じ形状である。
【特許文献１】特開２００７−３２６４２号公報
【特許文献２】特開２００５−６１５８６号公報
【発明の開示】
【発明が解決しようとする課題】
【００１０】
さて、特許文献２に開示されているブーツバンド１１６は、外側重なり部１２５の係止孔１３２と内側重なり部１２６の係止爪１３１を係合させて環状とするが、この構造であると、外部からの衝撃などで係止爪１３１が係止孔１３２から外れてブーツバンド１１６が緩み、外輪１０２の内部やブーツ１１３の内部に封入した潤滑成分が外部へ漏出するおそれがあった。
【００１１】
本発明は上記の事情に鑑みてなされたものであり、一端部に取り付けた他端部が一端部から外れるおそれのない締付バンドを提供することを目的とする。
【課題を解決するための手段】
【００１２】
上記の課題を解決するための本発明の締付バンドは、一端部と、これに取り付ける他端部と、前記一端部と前記他端部をつなぐ中間部とを有する環状を成し、締付力の付与により縮径させる締付部を両端部側に設けた締付バンドであって、前記一端部の先端部位を径方向外側へ起立させ、その起立部に形成された孔に前記他端部の先端部位を挿通させて前記一端部に取付固定し、この他端部の取付部に、前記起立部を周方向に屈曲させた屈曲部を重ね合わせたことを特徴とする。ここで「締付力の付与により縮径させる締付部」とは、締付部で付与する締付力により、環状の締付バンドを縮径させることを意味する。
【００１３】
この場合、一端部に取り付けた他端部の取付部が、外部からの衝撃などで一端部から外れようとしても、この取付部に重ね合わせた屈曲部により径方向内側へ押さえつけられるため、取付部が一端部から外れることがない。また、屈曲部を設ける際に、締付バンドに締付力を付与することもできる。
【００１４】
前記他端部の取付部は、中間部よりも拡径させて形成するのが望ましい。この場合、取付部を一端部の起立部に形成された孔に挿通した後に、他端部の内径が一端部の内径よりも大きくなって浮き上がるのを防止することができる。この結果、締付バンドに締付力を付与する際、周方向で均一に締付力を付与することができるため、締付バンドの内側に配される取付部材（例えばブーツの端部）を、この取付部材の内側に配される被取付部材（例えば等速自在継手の外輪）に確実に取付固定することができる。
【００１５】
前記起立部の基部の内周面は、Ｒ形状とするのが望ましい。この場合、締付バンドに締付力を付与した際、起立部の基部が締付バンドの内側に配される取付部材に食い込むことがないため、取付部材を傷つけてしまうのを防止することができる。
【００１６】
前記他端部の取付部の前記一端部への取り付けは、他端部の取付部の先端部位に径方向内側に延びる嵌合爪を設け、その嵌合爪を一端部に形成した凹部に嵌合するのが望ましい。ここでいう「凹部」は、他端部を径方向に貫通する孔や、凹み・窪み等を意味する。この場合、一端部への他端部の取り付けが容易になり、締付バンドを取付部材に取り付ける際の作業性（作業のしやすさ、作業効率を意味する。）が向上する。さらに、本発明では、既に説明したように、屈曲部で取付部を固定することができるため、一端部に設ける嵌合爪と他端部に形成する凹部は簡易な形状とすることができる。この結果、締付バンドの作製が容易になり、これに伴い、締付バンドの作製に必要なコストも削減することができる。
【００１７】
前記締付部は、一対の爪部とするのが望ましい。この一対の爪部は両端部に設けるが、これは、一方の爪部を一端部に設け、他方の爪部を他端部に設けることを意味する。この場合、一対の爪部に加締工具を係止させて加締めることにより、締付バンドに容易に締付力を付与することができる。
【００１８】
この一対の爪部を含め、締付部は、締付バンドの本体である両端部と一体成形で設けることができる。この場合、締付部として別部品を使用する必要がないため、締付バンドの作製に必要なコストを削減することができ、また、締付部を設ける際の作業も容易になる。
【発明の効果】
【００１９】
本発明の締付バンドは、他端部の取付部に重ね合わせた一端部の屈曲部により、外部からの衝撃などで取付部が一端部から外れようとしても、取付部は径方向内側へ押さえつけられるため、一端部から外れることがない。このため、締付バンドが周方向に緩んで締付力が低下してしまうのを防止でき、また、取付部が一端部の起立部に形成した孔から抜け出て締付バンドが緩むことがないため、締付バンドの内側に配された取付部材と、その内側に配される被取付部材との取付状態が低下することがない。
【発明を実施するための最良の形態】
【００２０】
以下に本発明の実施の形態について、添付の図面を参照して説明する。
【００２１】
図５に本発明の締付バンドを適用した摺動型等速自在継手の一つであるダブルオフセット型等速自在継手（ＤＯＪ）を示す。
【００２２】
この等速自在継手１は、一端が開口した外側継手部材である外輪２、内側継手部材である内輪３、ボール４、ケージ５を主要部とする。外輪２の内部には内部部品６が収容され、この内部部品６は、内輪３、ボール４、ケージ５で構成されている。外輪２の円筒状の内周面には軸方向に延びる複数の直線状のトラック溝７が形成され、内輪３の球面状の外周面には外輪２のトラック溝７と対をなす複数の直線状のトラック溝８が形成されている。外輪２のトラック溝７と内輪３のトラック溝８との間にはボール４が介在され、このボール４はケージ５のポケット９で保持されている。内輪３の軸孔１１にはシャフト１０がスプライン嵌合されており、このシャフト１０は、その先端に形成された嵌合溝２２と、内輪３の軸孔１１でシャフト１０の嵌合溝２２と対向する部位に形成された嵌合溝２１との間に介在させたサークリップ１２により、軸孔１１から抜けるのが防止されている。
【００２３】
外輪２の開口部は、樹脂製の蛇腹状ブーツ１３で覆われている。このブーツ１３は、大径端部１４と、小径端部１５と、大径端部１４と小径端部１５をつなぐ蛇腹状の中間部１９とから成り、大径端部１４は外輪２の開口端部２０の外周面に取り付けられ、小径端部１５はシャフト１０の外周面に取り付けられ、それぞれの取り付け部分は締付バンドであるブーツバンド（１６、１７）を加締めて固定されている。このブーツバンド（１６、１７）について以下に説明するが、ブーツバンド（１６、１７）は共に同じ形状であり、その作用および効果も同じであるため、ブーツバンド１６についてのみ、添付の図面を参照して説明する。
【００２４】
ブーツバンド１６は、図４（Ａ）に示す帯状のブーツバンド１６を図１に示すように環状にしたものであり、一端部２５と、他端部２６と、一端部２５と他端部２６をつなぐ中間部２７とで主要部が構成される。
【００２５】
一端部２５においては、その先端側にバンド幅方向に延びる孔２９を形成し、この孔２９よりも中間部側に凹部として凹溝３０を形成し、この凹溝３０よりも中間部側に爪部２８を形成する。また、他端部２６においては、その先端を一端部２５に取り付ける取付部３１とし、この取付部３１は一端部２５の先端側に形成した孔２９よりも幅狭にする。また、取付部３１の先端部位に取付部３１よりも幅狭にした嵌合爪３２を設け、この嵌合爪３２は、図４（Ａ）に示す帯状部材のブーツバンド１６の局所を径方向に変形させた図４（Ｂ）に示すように、ブーツバンド１６を環状にした際に径方向内側となる方向（図面下方）に屈曲させる。
【００２６】
図１および図４に示すように、取付部３１よりも中間部側に、一端部２５に設けた爪部２８と対を成す爪部２８を設ける。この一対の爪部２８は、ブーツバンド１６に締付力を付与する締付部としての機能を果たし、加締工具を係止させる部位である。この一対の爪部２８により、ブーツバンド１６に容易に締付力を付与することができる。また、一対の爪部２８は、両端部（２５、２６）と一体で設け、具体的には、両端部を局部的に切り抜いて、この切り抜いた部分を、図４（Ｂ）に示すように、ブーツバンド１６を環状にした際に径方向外側となる方向（図面上方）へ突出させて形成する。この場合、締付部として別部品を使用する必要がないため、ブーツバンド１６の作製に必要なコストを削減することができ、また、締付部を設ける際の作業も容易になる。なお、一対の爪部２８における中間部側の面は、加締工具を係止させやすいように曲面形状とする。
【００２７】
図１および図４（Ｂ）に示すように、一端部２５の孔２９を含む先端は、径方向外側となる方向に起立させて起立部３３とする。また、前記した他端部２６の取付部３１は中間部２７よりも拡径させる。このため、他端部２６の取付部３１を、起立部３３に形成された孔２９に挿通した後においても、他端部２６の内径が一端部２５の内径よりも大きくなって浮き上がるのを防止することができる。この結果、ブーツバンド１６に締付力を付与する際、周方向で均一に締付力を付与することができるため、図５に示すように、ブーツ１３の大径端部１４を外輪２の開口端部２０の外周面に確実に取付固定することができる。
【００２８】
図１およびその要部拡大図である図２（Ｃ）に示すように、取付部３１の基部３７の内周面３８と起立部３３の基部３５の内周面３６はＲ形状とする。この場合、ブーツバンド１６に締付力を付与しても、基部（３５、３７）がブーツ１３の大径端部１４（図５参照）に食い込むことがないため、ブーツ１３の大径端部１４を傷つけてしまうのを防止することができる。
【００２９】
図４（Ａ）に示した帯状のブーツバンド１６は、図４（Ｂ）に示すように局部を径方向に変形させた後、図１に示したように環状にするが、このように環状にする手段は、まず、ブーツバンド１６の両端部の斜視図である図３に示すように、他端部２６の取付部３１の嵌合爪３２を図中白抜き矢印で示す方向に、他端部２５の起立部３３に形成した孔２９に挿通して、図２（Ａ）に示すように、起立部３３に仮に係止させる。
【００３０】
この仮止めの状態で、一対の爪部２８に加締工具を係止させて、一対の爪部２８の距離が小さくなる方向、つまり、図中白抜き矢印で示す方向に加締めてブーツバンド１６に締付力を付与することにより、図２（Ｂ）に示すように、取付部３１の嵌合爪３２を一端部２５の凹溝３０に嵌合して本止めする。本実施形態では、取付部３１の幅を起立部３３の孔２９の幅よりも小さくするため、取付部３１を孔２９に挿通させやすい。そのため、図２（Ａ）に示した嵌合爪３２を起立部３３に仮に係止させる作業、および、取付部３１の嵌合爪３２を一端部２５の凹溝３０に嵌合させる上述した作業が容易になる。
【００３１】
次に、図中白抜き矢印で示す方向に一端部２５の起立部３３の先端を周方向に屈曲させ、この屈曲部３４を図２（Ｃ）に示すように他端部２６の取付部３１に径方向外側から重ね合わせて取付部３１を固定する。
【００３２】
このように、本実施形態では、一端部２５に取り付けられる他端部２６の取付部３１には、径方向外側から一端部２５の起立部３３の屈曲部３４を重ね合わせるため、外部からの衝撃などで取付部３１の嵌合爪３２が一端部２５の凹溝３０から抜け出て、取付部３１が一端部２５から外れようとしても、取付部３１は屈曲部３４により径方向内側へ押さえつけられて一端部２５に固定されるため、ブーツバンド１６が周方向にゆるんで締付力が低下するのを防止することができる。
【００３３】
また、取付部３１は屈曲部３４により径方向内側へ押さえつけられて一端部２５に固定される。そのため、一端部２５の起立部３３に形成した孔２９から取付部３１が抜け出てブーツバンド１６がゆるみ、ブーツ１３の大径端部１４と外輪２の開口端部２０との取付状態が低下することがない。この結果、図５に示す外輪２やブーツ１３の内部に封入された潤滑成分が外部へ漏出するのを防止することができる。
【００３４】
さらに、他端部２６の取付部３１は一端部２５の起立部３３の屈曲部３４で固定されるため、一端部に形成する凹溝３０と、他端部の嵌合爪３２は簡易な形状とすることができる。このため、ブーツバンド１６の作製が容易になり、図５に示すように、ブーツバンド１６をブーツ１３の大径端部１４に取り付ける際の作業性も向上する。
【００３５】
そして、本実施形態のブーツバンド１６は、図７および図８に示す従来の締付バンドのように、締付部として、脚部および架橋部を有する耳部を設ける必要がなく、また、締付バンドが緩むのを確実に防止するために、締付バンドを環状にするための手段である係止爪および係止孔を複数設ける必要もないため、形状が簡素化される。そのため、ブーツバンド１６の作製を容易になり、これに伴い、ブーツバンド１６の作製に必要なコストを削減することができる。
【００３６】
なお、屈曲部３４を設ける際に、ブーツバンド１６に締付力を付与することができるため、ブーツバンド１６の締付力も向上させることができる。
【００３７】
以上、本発明の実施の形態について説明したが、ここで挙げた実施形態はあくまで例示であり、特許請求の範囲に記載の意味および内容の範囲内で任意に変更が可能である。
【００３８】
例えば、ここで挙げた実施形態では、一端部に凹部として凹溝を形成し、この凹溝に他端部の取付部の先端部位に設けた径方向内側に延びる嵌合爪を嵌合したが、取付部の先端部位に凹溝を形成し、この凹溝に一端部に形成した嵌合爪を嵌合させることもできる。
【００３９】
また、一端部に凹部として係止孔を形成し、この係止孔と他端部の取付部の内径面に設けた係止爪を係合させるようにしてもよく、また、一端部に形成した係止爪と他端部の取付部の内径面に形成した係止孔を係合させるようにしてもよい。
【図面の簡単な説明】
【００４０】
【図１】図５に示したブーツバンド（ブーツ大径部側）の拡大正面図である。
【図２】図４（Ｂ）に示すブーツバンドを環状にする工程を説明する正面図であり、（Ａ）は図３に示すように取付部を起立部の孔に挿通した後に、起立部に嵌合爪を仮に係止させた状態を示す正面図である。（Ｂ）は（Ａ）の状態から起立部に形成された孔への取付部の挿通を進めて、嵌合爪を凹溝に嵌合させた状態を示す正面図である。（Ｃ）は（Ｂ）の状態から屈曲部を取付部に重ね合わせた状態を示す正面図であり、かつ、図１の要部拡大図である。
【図３】図４（Ｂ）に示すブーツバンドを環状にする工程を説明するためのもので、一端部の起立部に形成した孔に他端部の取付部を挿通する前の状態を示す斜視図である。
【図４】（Ａ）は図５に示すブーツバンドにおいて、環状にする前の状態を示す正面図である。（Ｂ）は（Ａ）の局所を径方向に変形させた状態の側面図である。
【図５】本発明のブーツバンドを適用した等速自在継手（ＤＯＪ）を示す断面図である。
【図６】従来のブーツバンド（締付バンド）を適用した等速自在継手（ＤＯＪ）を示す断面図である。
【図７】図６に示すブーツバンド（ブーツの大径端部側）の拡大正面図である。
【図８】図７に示すブーツバンドにおいて、耳部の脚部を加締めた状態を示す正面図である。
【符号の説明】
【００４１】
１                                    摺動型等速自在継手（ＤＯＪ）
２５                                  一端部
２６                                  他端部
２７                                  中間部
２８                                  爪部
２９                                  孔（起立部）
３０                                  凹溝（凹部）
３１                                  取付部（他端部）
３２                                  嵌合爪（他端部）
３３                                  起立部（一端部）
３４                                  屈曲部（一端部）
３５                                  基部（一端部）
３６                                  内周面（起立部の基部）
【図１】
2009115239.tif 000003
【図２】
2009115239.tif 000004
【図３】
2009115239.tif 000005
【図４】
2009115239.tif 000006
【図５】
2009115239.tif 000007
【図６】
2009115239.tif 000008
【図７】
2009115239.tif 000009
【図８】
2009115239.tif 000010